(57)【特許請求の範囲】
【請求項１】
軸筒の表面に巻き付けるようにして貼着された加飾シールと、前記加飾シールの軸方向の一端部を覆うようにして、前記軸筒の表面に装着された円筒状に形成された不透明部材とが備えられ、
透明な樹脂素材によりリング状に形成された透明リングが、前記不透明部材に対して軸方向に接して装着され、前記透明リングによって前記加飾シールを覆った構成にされていることを特徴とする筆記具。
【請求項２】
前記透明リングにおける前記不透明部材に接する位置には、透明リングの外径よりも小径に成形された同軸状の小径部が一体に備えられ、前記不透明部材における前記透明リングに接する内側面には、前記透明リングに成形された同軸状の小径部を収容する内径を大きくした収容空間が形成され、
前記透明リングに成形された同軸状の小径部が、前記不透明部材の内側における前記収容空間内に埋設されていることを特徴とする請求項１に記載された筆記具。
【請求項３】
前記円筒状に形成された不透明部材が、弾性素材により成形されたグリップ部材であることを特徴とする請求項１または請求項２に記載された筆記具。
【請求項４】
筆記芯に加わる筆記圧を利用して、筆記芯を一方向に回転させることができる回転駆動機構を備えた筆記具であって、
前記加飾シールに形成された透明部分もしくは加飾シールに施された抜き孔を介して、前記回転駆動機構による回転状態が視認できるように構成したことを特徴とする請求項１ないし請求項３のいずれか１項に記載された筆記具。
【発明の詳細な説明】
【技術分野】
【０００１】
この発明は筆記具の軸筒に施される加飾手段の改良に関するものである。
【背景技術】
【０００２】
筆記具は意匠的な要素が重要視される商品であり、軸筒もしくはキャップの外周面に飾りリングなどを取り付けて高級感を強調することがしばしば行われる。この飾りリングとしては、ステンレスや真ちゅうなどの金属素材を成形したものが利用され、この飾りリングの表面にさらに特定な被覆層を被覆するなどして、樹脂素材により成形された軸筒やキャップに対して質感を際立たせる工夫がなされている（例えば特許文献１参照）。
加えて、飾りリングの表面に模様などを刻印するなどして、さらに印象を強調させるなどの手段も採用されている（例えば特許文献２参照）。
【０００３】
一方、販売個数の多い主力商品となる筆記具は、比較的低価格帯の製品であり、この低価格帯の筆記具においては前記した飾りリングやこれに刻印を施したものを用いることはコストの面で困難となる。
しかしながら、高級感を醸し出すようなデザイン、もしくは人目を引くような加飾手段を施すことで、これが店頭などにおいて利用者が製品を選択する上で大きなウエイトを占めることになり、ローコストで前記工夫がなされることは重要な課題となる。
【０００４】
ところで、本件出願人は筆記芯に加わる筆記圧を利用して、筆記芯を除々に一方向に回転させることができる回転駆動機構を備えたシャープペンシルについて先に提案しており、このシャープペンシルにおいて筆記動作に伴い、回転駆動機構が回転する様子を視認することができる表示手段を形成した構成についても提案している（例えば特許文献３参照）。
【先行技術文献】
【特許文献】
【０００５】
【特許文献１】特開平５−９６８９８号公報
【特許文献２】特開２００３−３００３９４号公報
【特許文献３】特開２０１１−５６９６５号公報
【発明の概要】
【発明が解決しようとする課題】
【０００６】
この発明は、前記特許文献３に開示されたように、筆記動作に伴い回転駆動機構が回転する様子を表示することができる表示手段にも好適に応用が可能であり、ローコストにして体裁を整えることができ、かつ人目を引くような加飾手段を備えた筆記具を提供することを課題とするものである。
【課題を解決するための手段】
【０００７】
前記した課題を解決するためになされたこの発明にかかる筆記具は、軸筒の表面に巻き付けるようにして貼着された加飾シールと、前記加飾シールの軸方向の一端部を覆うようにして、前記軸筒の表面に装着された円筒状に形成された不透明部材とが備えられ、透明な樹脂素材によりリング状に形成された透明リングが、前記不透明部材に対して軸方向に接して装着され、前記透明リングによって前記加飾シールを覆った構成にされていることを特徴とする。
【０００９】
そして、好ましい実施の形態においては、透明リングにおける前記不透明部材に接する位置には、透明リングの外径よりも小径に成形された同軸状の小径部が一体に備えられ、前記不透明部材における前記透明リングに接する内側面には、前記透明リングに成形された同軸状の小径部を収容する内径を大きくした収容空間が形成され、前記透明リングに成形された同軸状の小径部が、前記不透明部材の内側における前記収容空間内に埋設された構成になされる。
【００１０】
また好ましくは、円筒状に形成された前記不透明部材が、弾性素材により成形されたグリップ部材によって構成される。
【００１１】
一方この発明は、筆記芯に加わる筆記圧を利用して、筆記芯を一方向に回転させることができる回転駆動機構を備えた筆記具に好適に採用することができ、前記加飾シールに形成された透明部分もしくは加飾シールに施された抜き孔を介して、前記回転駆動機構による回転状態が視認できるように構成される。
【発明の効果】
【００１２】
前記したこの発明にかかる筆記具によると、表面が加飾面なされた加飾シールが軸筒の表面に巻き付けられるようにして貼着され、この加飾シールの軸方向の一端部を覆うようにして、例えばグリップ部材を構成する円筒状に形成された不透明部材が装着された構成にされる。この場合、前記加飾シールの軸方向の幅を、軸筒の外周面に施される加飾手段の幅よりも若干大きなサイズに予め選定しておくことで、貼着された加飾シールの端部をグリップ部材の端部によって確実に覆うことができる。
これにより、軸筒への加飾シールの貼着作業の作業性を改善することができ、体裁を整えることができる。
【００１３】
加えて、グリップ部材に接するようにして加飾シールを覆う透明リングを軸筒に装着した構成を採用することで、不透明なグリップ部材に隣接して透明なリングを透過して加飾シールを立体的に視ることができるなど、高級感に富んだ軸筒の加飾手段を提供することができる。
【００１４】
さらに、筆記芯に加わる筆記圧を利用して、筆記芯を回転させることができる回転駆動機構を備えた筆記具に採用し、前記した加飾シールに透明部分もしくは加飾シールに抜き孔を施した構成にすることで、前記加飾シールを介して前記回転駆動機構の回転状態を、例えば色の変化などにより視認することができるなど、独自の加飾効果を備えた筆記具を提供することが可能となる。
【図面の簡単な説明】
【００１５】
【図１】この発明をシャープペンシルに採用した例について、その外観構成を示した斜視図である。
【図２】図１に示すシャープペンシルの前半部を示した断面図である。
【図３】同じく後半部を示した断面図である。
【図４】軸筒に加飾シールを貼着した状態を示す部分断面図および斜視図である。
【図５】加飾シールを覆うように透明リングを装着した状態を示す部分断面図および斜視図である。
【図６】さらにグリップ部材を装着して組み立てられた状態を示す部分断面図および斜視図である。
【発明を実施するための形態】
【００１６】
この発明にかかる加飾手段を備えた筆記具の一例について、これをシャープペンシルに採用した例を先に説明し、この加飾手段の詳細な構成について後で説明する。
なお、以下に示す各図においては同一部分を同一符号で示しているが、紙面の都合により一部の図面においては、代表的な部分に符号を付け、その詳細な構成はその他の図面に付した符号を引用して説明する場合もある。
【００１７】
先ず、図１〜図３はシャープペンシルの全体構成を説明するものであり、軸筒を構成する先軸１の先端部には、口金２が螺合されることで、先軸１に対して着脱可能に取り付けられている。そして、前記先軸１および後述する後軸の軸芯に沿って筒状の芯ケース３が収容されており、この芯ケース３の先端部には短軸の芯ケース継手４が取り付けられ、前記芯ケース継手４を介して真ちゅう製のチャック５が連結されている。
【００１８】
前記チャック５内には、その軸芯に沿って図示せぬ筆記芯の通孔が形成され、また先端部が複数に分割されて、分割された先端部は真ちゅうによりリング状に形成された締め具６内に遊嵌されている。またリング状の前記締め具６は前記チャック５の周囲を覆うようにして配置された中継パイプ７の先端部内面に装着されている。
なお、この中継パイプ７の後端部は筆記圧を利用して筆記芯（替え芯）を回転させる後述する回転駆動機構に接続されている。
【００１９】
前記中継パイプ７の前端部には、前記した口金２内に収容されてその前端部が口金２より突出される円筒状のスライダー８が中継パイプ７に対して嵌合されることで着脱可能に取り付けられ、さらにスライダー８の前端部には、筆記芯を案内する先端パイプ９がパイプ保持具１０を介して取り付けられている。
また、前記スライダー８の内周面におけるパイプ保持具１０の直後には、軸芯部分に通孔を形成したゴム製の保持チャック１２が収容されている。
【００２０】
前記した構成により、芯ケース３に続くチャック５内に形成された通孔、および前記保持チャック１２の軸芯に形成された通孔を介して、先端パイプ９に至る直線状の芯挿通孔が形成されており、この直線状の芯挿通孔内に図示せぬ筆記芯が挿通される。そして、前記した中継パイプ７と芯ケース継手４との間には、コイル状のチャックスプリング１３が配置されている。
【００２１】
すなわち、前記チャックスプリング１３は、その前端部が中継パイプ７の内周面に形成された環状の段部に当接し、チャックスプリング１３の後端部は前記芯ケース継手４の前端面に当接した状態で収容されている。したがって、前記チャックスプリング１３の作用により、前記チャック５は中継パイプ７内を後退してその先端部がリング状の締め具６内に収容される方向に、すなわち筆記芯を把持する方向に付勢されている。
【００２２】
軸筒を構成する前記した先軸１には例えばゴムなどの弾性素材により成形されたグリップ部材１４が先軸１を取り巻くようにして装着されている。このグリップ部材１４を先軸１に装着するにあたっては、先に飾りリングとして機能する透明な樹脂素材により形成された透明リング１５が先軸１の先端部側から装着される。
この透明リング１５は、先軸に一体に成形された環状の鍔部１ａによって位置決めされ、続いて前記グリップ部材１４が同方向から先軸１を取り巻くようにして装着される。その後に、前記した口金２が先軸１の前端部に螺合されることで、前記透明リング１５およびグリップ部材１４が軸方向に抜け出ることなく、前記先軸１に取り付けられる。
【００２３】
前記した飾りリングとして機能する透明リング１５は、予め先軸１に巻回されるようにして貼り付けられている加飾シール１６を覆い、このシール１６の周面が視認できるように構成されている。
この加飾シール１６には、金もしくは銀色などの光沢のある印刷が施され、その適宜の位置には印刷が施されない透明部分が形成されている。そして、この透明部分および透明な樹脂素材により成形された前記先軸１を透視して、内部の中継パイプ７の一部が視認できるように構成されている。これにより、後述する回転駆動機構によって中継パイプ７が回転駆動される様子を、透明リング１５を介して確認することができる。
なお、前記透明リング１５および加飾シール１６等により形成される加飾手段の詳細な構成については、後で説明する。
【００２４】
前記した先軸１の後端部には、軸筒を構成する後軸１８の前端部内面が嵌合されて取り付けられており、この後軸１８の前半部分には図３に示されているように、ユニット化された回転駆動機構２１が収容されている。
この回転駆動機構２１には前記したとおり中継パイプ７の後端部が接続されており、この中継パイプ７は筆記動作に基づく筆記芯の後退および前進動作（クッション動作）を前記チャック５を介して受けて、回転駆動機構２１に伝達させると共に、クッション動作によって生ずる前記回転駆動機構２１による回転運動を、前記中継パイプ７を介して前記チャック５に伝達させるように作用する。
これにより、チャック５に把持された図示せぬ筆記芯は、筆記動作に伴い前記回転駆動機構２１による回転運動を受けることになる。
【００２５】
なお、前記回転駆動機構２１は、その前端部において前記先軸１との間に介在された軸スプリング２２によって後方に付勢されている。また回転駆動機構２１の後端部は前記後軸１８内の縮径により形成された段部１８ａに、前記軸スプリング２２の付勢力により当接している。
すなわち、この実施の形態においては、ユニット化された前記回転駆動機構２１は後軸１８内の段部１８ａに当接することによる摩擦により回動が規制され、前記したクッション動作によって生ずる前記回転駆動機構２１による回転運動を、前記チャック５側に伝達させるように作用する。
【００２６】
前記回転駆動機構２１には円筒状に形成された回転子２４が具備されており、前記した中継パイプ７は、回転駆動機構２１の前端部において、前記回転子２４の内周面に嵌合することで結合されている。
【００２７】
前記回転子２４は、その前端部付近が若干径を太くした太径部になされ、その太径部の一端面（後端面）には第１のカム面２４ａが形成されており、太径部の他端面（前端面）には第２のカム面２４ｂが形成されている。一方、前記回転子２４の後端部側を覆うようにして円筒状の上カム形成部材２５が、前記回転子２４を回動可能に支持するように配置されており、前記上カム形成部材２５の前端部外周には、円筒状の下カム形成部材２６が、上カム形成部材２５に嵌合されて取り付けられている。
【００２８】
そして、前記回転子２４における第１のカム面２４ａに対峙する上カム形成部材２５の前端面に、第１の固定カム面２５ａが形成されている。また、前記回転子２４における第２のカム面２４ｂに対峙する下カム形成部材２６の前端部内面に、第２の固定カム面２６ａが形成されている。
【００２９】
前記した上カム形成部材２５の後端部側には、シリンダー部材２７が上カム形成部材２５に対して嵌め込まれており、このシリンダー部材２７内には円筒状に形成され軸方向に移動可能なトルクキャンセラー２８が配置され、当該トルクキャンセラー２８の内周面前端部と前記シリンダー部材２７の内周面後端部との間にはコイル状のクッションスプリング２９が装着されている。
前記クッションスプリング２９は、トルクキャンセラー２８を前方に付勢するように作用し、この付勢力を受けた前記トルクキャンセラー２８に押されて前記回転子２４は前方に向かうように作用する。
【００３０】
以上のとおり前記した回転駆動機構２１は、その中央部が前記芯ケース３を通す空間部になされて芯ケース３とは隔離されており、回転駆動機構２１は前記した符号２５〜２９で示す各部材によりユニット化されている。
【００３１】
前記した後軸１８の後半部分、すなわち回転駆動機構２１の後部側にはノック棒３１が軸方向に摺動可能に装着されている。このノック棒３１の前端部は環状の楔形突出部３１ａになされており、この楔形突出部３１ａが後軸１８内に形成された環状突起１８ｂを乗り越えて取り付けられている。
そして、環状突起１８ｂとノック棒３１との間にはコイル状のノック棒スプリング３２が配置され、このスプリング３２によって、前記ノック棒３１を後軸１８の後端部側に向けて付勢するように構成されている。
【００３２】
また、ノック棒３１の中央よりも若干後端部寄りには、筆記芯の補給孔３１ｃを備えた当接部３１ｂが形成されており、さらにこのノック棒３１の後端部には、消しゴム３３が着脱可能に装着されると共に、前記消しゴム３３を覆うノックカバー３４がノック棒３１の後端部の周面に着脱可能に取り付けられている。
【００３３】
なお、前記ノック棒３１の当接部３１ｂと、前記した芯ケース３の後端部とは所定の間隔をもって対峙した構成にされている。この構成によると、筆記による前記したクッション動作によりチャック５および芯ケース３が若干後退しても、芯ケース３の後端部が前記ノック棒３１の当接部３１ｂに衝突することはなく、前記回転駆動機構２１による回転動作に障害を与えるのを防止することができる。
【００３４】
前記ノック棒３１に対して着脱可能に取り付けられた前記ノックカバー３４には、このノックカバー３４の側壁面に円盤状の突起部３４ａが一体に形成されている。そして、円盤状突起部３４ａの円盤面には、円形状にして中央部が若干凸面状になされ前記ノックカバー３４とは異色の樹脂盛りシール３５が装着されている。なお、前記後軸１８の後端部における周方向の一部には、軸方向に切欠き溝１８ｃが形成されており、前記円盤状突起部３４ａが前記切欠き溝１８ｃに沿って配置されることで、前記ノックカバー３４のノック操作が可能となるように構成されている。
前記ノックカバー３４に形成された円盤状突起部３４ａは、前記樹脂盛りシール３５により飾りの機能を果たすと共に、シャープペンシルの転がり止めとしての機能も果たすものとなる。
【００３５】
以上のように構成されたシャープペンシルにおける前記した回転駆動機構２１によると、チャック５が筆記芯を把持した状態で、前記回転子２４は中継パイプ７を介してチャック５と共に軸芯を中心にして回転可能になされている。そして、シャープペンシルが筆記状態以外の場合においては、回転駆動機構２１内に配置された前記クッションスプリング２９の作用により、前記トルクキャンセラー２８を介して回転子２４は前方に付勢されている。
【００３６】
一方、シャープペンシルを使用した場合、すなわち先端パイプ９から突出している筆記芯に筆記圧が加わった場合には、前記チャック５は前記クッションスプリング２９の付勢力に抗して後退し、これに伴って回転子２４も軸方向に僅かに後退する。したがって、回転子２４に形成された第１のカム面２４ａは前記第１の固定カム面２５ａに接合して噛み合い状態になされる。
【００３７】
前記第１のカム面２４ａは周方向に沿って連続的に鋸歯状になされており、また前記第１の固定カム面２５ａも周方向に沿って連続的に鋸歯状になされており、そのピッチは互いに同一となるように形成されている。
そして、対峙した状態の第１カム面２４ａと固定カム面２５ａは、軸方向においてカムの一歯に対して半位相（半ピッチ）ずれた関係となるように設定されており、前記したように第１のカム面２４ａが第１の固定カム面２５ａに接合して噛み合い状態になされることによって、回転子２４は第１カム面２４ａの一歯の半位相（半ピッチ）に相当する回転駆動を受ける。
【００３８】
一方、前記第２のカム面２４ｂも周方向に沿って連続的に鋸歯状になされており、また前記第２の固定カム面２６ａも周方向に沿って連続的に鋸歯状になされており、そのピッチは互いに同一となるように形成されている。
そして、前記したように第１のカム面２４ａが第１の固定カム面２５ａに接合して噛み合い状態になされた状態においては、対峙した状態の第２カム面２４ｂと第２の固定カム面２６ａは、軸方向においてカムの一歯に対して半位相（半ピッチ）ずれた関係となるように設定されている。
【００３９】
したがって一画の筆記が終わり、筆記芯に対する筆記圧が解かれた場合には、前記したクッションスプリング２９の作用により回転子２４は軸方向に僅かに前進し、回転子２４に形成された第２カム面２４ｂが、第２の固定カム面２６ａに噛み合う。これにより回転子２４は第２カム面２４ｂの一歯の半位相（半ピッチ）に相当する同方向の回転駆動を再び受ける。
【００４０】
以上のとおり、前記したシャープペンシルによると、筆記圧を受けることによる回転子２４の軸方向への往復運動に伴って、回転子２４は第１カム面２４ａおよび第２カム面２４ｂの一歯（１ピッチ）に相当する回転駆動を受け、前記した中継パイプ７およびチャック５を介してこれに把持された筆記芯も同様に一方向に回転駆動される。
したがって、筆記芯は自身が受ける回転運動と筆記による摩耗とにより、先端部が常に円錐形状になされる。それ故、書き進むにしたがって筆記芯が偏摩耗するのを防止させることができ、安定した線幅による筆記が可能となる。
【００４１】
なお、前記した回転駆動機構２１においては、回転子２４とクッションスプリング２９との間に、トルクキャンセラー２８が介在されている。このトルクキャンセラー２８は前記回転子２４の後端部との間ですべりを発生させて、回転子２６の回転運動がクッションスプリング２９側に伝達されるのを阻止するように作用する。これにより、スプリング２９の捩じれ戻り（バネトルク）が発生することで、回転子２４の回転動作に障害を与えるという問題を解消させることができる。
【００４２】
また、この構成によるシャープペンシルにおいては、ノックカバー３４をノック操作することで、ノック棒の当接部３１ｂが芯ケース３を前方に押し出し、中継パイプ７に取り付けられたスライダー８の一部が口金２内に当接して、その前進が阻まれる。このため、チャック５の先端部が締め具６から相対的に突出してチャック５による筆記芯の把持状態が解除される。そして、前記ノック操作の解除により、チャックスプリング１３の作用により芯ケース３およびチャック５は軸筒内において後退する。
【００４３】
この時、筆記芯は保持チャック１２に形成された通孔内において摩擦により保持されており、この状態でチャック５が後退してその先端部が前記締め具６内に収容されることで、筆記芯を再び把持状態にする。すなわち、ノックカバー３４のノック操作の繰り返しによりチャック５が前後動し、これにより筆記芯の解除と把持が行われ、筆記芯はチャック５から順次前方に繰り出されるように作用する。
【００４４】
図４〜図６は、前記した先軸１に加飾シール１６を貼着すると共に、貼着された加飾シール１６を覆うように透明リング１５を装着してなる加飾手段の構成を説明するものである。なお、図４〜図６における各（Ａ）は、軸筒（先軸１）に加飾シール１６を貼着し、透明リング１５およびグリップ部材１４を装着する順序を部分断面図で示したものであり、図４〜図６における各（Ｂ）は、それぞれの状態におけるシャープペンシルの前半部を、斜視図により示したものである。
【００４５】
図４に示すように透明な樹脂素材により成形された先軸１には、前記したとおり環状の鍔部１ａが一体に成形されている。この鍔部１ａには、軸方向の前側に若干突出するようにして、鍔部１ａよりも外径を細くする環状の段部１ｂが形成されている。
そして、環状の段部１ｂを基線として予め短冊状に形成された加飾シール１６が、先軸１の表面に巻き付けられるようにして貼着される。
この加飾シール１６は、透明な樹脂シートにおける表面となる加飾面に例えば金色もしくは銀色などの光沢のある印刷が施されている。なお、この実施の形態においては、前記したとおり適宜の位置に印刷が施されない透明部分が形成されている。
【００４６】
次に図５に示すように、前記加飾シール１６を覆うようにして、透明な樹脂素材によりリング状に形成された透明リング１５が装着され、前記透明リング１５によって前記加飾シール１６を覆うようになされる。
この場合、前記透明リング１５における前記環状の段部１ｂに対向する部分には、内径を大きくした嵌合部１５ｂが形成されており、透明リング１５における嵌合部１５ｂが環状の段部１ｂに嵌め合わされることで、透明リング１５は先軸１に対して同軸状に取り付けることができる。
【００４７】
続いて図６に示すように、先軸１に貼着された前記した加飾シール１６の軸方向の前端部を覆うようにして、不透明部材としてのグリップ部材１４が装着される。
この場合、前記した透明リング１５における前記グリップ部材１４に接する位置には、透明リング１５の外径よりも小径に成形された同軸状の小径部１５ａが一体に形成されている。一方、前記グリップ部材１４における前記透明リング１５に接する内側面には、前記透明リング１５の小径部１５ａを収容する内径を大きくした収容空間１４ａが形成されている。
【００４８】
この構成により、前記した透明リング１５に成形された同軸状の小径部１５ａが、前記不透明なグリップ部材１４の内側に形成された収容空間１４ａ内に埋設される。
そして、グリップ部材１４が装着された後に、前記したとおり口金２を先軸１の前端部に螺合することで、前記透明リング１５およびグリップ部材１４は軸方向に抜け出ることなく、前記先軸１に取り付けられる。
【００４９】
図６に示されているように、先軸１に貼着された前記加飾シール１６の軸方向の前端部は、不透明なグリップ部材１４の端部によって覆うことができるように、前記加飾シール１６のサイズが予め定められている。すなわち、加飾シール１６はグリップ部材１４とオーバーラップするように、そのサイズが選定されている。
これにより、軸筒への加飾シールの貼着作業の作業性を改善することができ、また透明リング１５を介して特定な印刷がなされた加飾シール１６を全面にわたって視認することができるなど、体裁の整った加飾手段を提供することができる。
【００５０】
加えて、この実施の形態においては前記したとおり、加飾シール１６の適宜の位置に印刷が施されない透明部分が形成されているので、前記先軸１を透視して、内部の中継パイプ７の一部を視ることができる。したがって、中継パイプ７に例えば周方向に色変わりするシートなどを貼り付けておくことで、前記した回転駆動機構２１の回転状態を、色の変化などにより視認することができるなど、独自の加飾効果を備えた筆記具を提供することが可能となる。
この場合、加飾シール１６に印刷が施されない透明部分を形成させる構成に代えて、加飾シール１６の適宜の位置に抜き孔を形成した構成にしても、同様な作用効果を得ることができる。
【００５１】
なお、前記した実施の形態においては、先軸１に貼着された加飾シール１６の軸方向の前端部側を、グリップ部材１４によってオーバーラップするようにして覆った構成にされている。しかし、加飾手段の配置箇所に応じて、前記グリップ部材１４に代えて不透明部材を用い、加飾シール１６の軸方向の前端部側をオーバーラップするようにして覆った構成にしても、同様の作用効果を得ることができる。
【００５２】
また以上は、筆記芯の回転駆動機構を備えたシャープペンシルに対してこの発明にかかる加飾手段を施した例を示したが、この発明にかかる前記した加飾手段は、他の筆記具に対しても同様に適用することができ、同様の作用効果を享受することができる。
【符号の説明】
【００５３】
１      先軸（軸筒）
２      口金
７      中継パイプ
８      スライダー
９      先端パイプ
１４    グリップ部材（不透明部材）
１４ａ  収容空間
１５    透明リング
１５ａ  小径部
１５ｂ  嵌合部
１６    加飾シール
１７    中継パイプ
１８    後軸（軸筒）
２１    回転駆動機構
３１    ノック棒
３２    ノック棒スプリング
３４    ノックカバー
３５    樹脂盛りシール
【図１】
0005850567.tif 000002
【図２】
0005850567.tif 000003
【図３】
0005850567.tif 000004
【図４】
0005850567.tif 000005
【図５】
0005850567.tif 000006
【図６】
0005850567.tif 000007